(57)【要約】    【課題】  垂直状又は傾斜状に配置した場合にも優れた保水性を発揮し得る植物育成材及びその植物育成材を用いた植物育成方法の提供。    【解決手段】  植物育成材Ｄは、植物Ｇが根Ｇｒを張るための含水可能な根生育層Ｔと、植物Ｇの根Ｇｒが貫通し得る基布Ｓの一方の側に繊維製の多数のパイルＰを満遍なく設けてなるパイル布Ｅの基布Ｓと、合成樹脂製支持基盤Ｂが積層接合されてなり、全体としてブロック状をなす。育成植物Ｇにおける根Ｇｒ以外の主要器官は、パイルＰからみて根生育層Ｔと逆側に位置し、根生育層Ｔに根Ｇｒを張る。支持基盤Ｂは、根生育層Ｔの方向が垂直状又は傾斜状をなす状態で全体を支持し得る。支持基盤Ｂの一辺に潅水管路部Ｗを形成する。【選択図】      図１
2010046035.tif 000002
【特許請求の範囲】
【請求項１】
植物が根を張るための含水可能な根生育層を有する植物育成材であって、
前記根生育層に根を張る植物における根以外の主要器官と根生育層の間に、根生育層の側に基部が位置し、前記の根以外の主要器官の側に端部が位置し、根生育層に配された水分を吸収して保水し得る分岐保水部を備えることを特徴とする植物育成材。
【請求項２】
根生育層のうち植物を育成する部分に対応して分岐保水部が位置する請求項１記載の植物育成材。
【請求項３】
根生育層が、不規則に集合した繊維からなるマット状をなす請求項１又は２記載の植物栽培体。
【請求項４】
根生育層の方向が垂直状又は傾斜状をなす状態で全体を支持し得るように剛性支持体により支持された請求項１、２又は３記載の植物栽培体。
【請求項５】
上記分岐保水部が、上記植物の根が貫通し得る基布に多数設けられた繊維製のパイルであり、
それらのパイルは前記植物における根以外の主要器官が位置する側に位置し、前記基布は根生育層の側に位置し、
前記パイルは、根生育層に配された水分を吸収して保水し得るものである請求項１乃至４の何れか１項に記載の植物育成材。
【請求項６】
上記分岐保水部が、根生育層に基部が直接結合した多数の吸水性の房状物であり、それらの房状物が根生育層に配された水分を吸収して保水し得るものである請求項１乃至４の何れか１項に記載の植物育成材。
【請求項７】
上記分岐保水部が多数のパイルであり、そのパイルを形成するパイル形成体は、略円柱形状をなし、繊維製の線条体がパイル形成体の軸線を中心としてほぼ径方向に放射状をなすように密設され且つ軸線方向に密設されてなり、その略円柱形状外周面は、前記各線条体の先端部により形成されているものである請求項１乃至４の何れか１項に記載の植物育成材。
【請求項８】
上記分岐保水部が、根生育層に基部が直接結合した吸水性の複数のシート状物および／または帯状物であり、それらが根生育層に配された水分を吸収して保水し得るものである請求項１乃至４の何れか１項に記載の植物育成材。
【請求項９】
上記分岐保水部の端部がその基部よりも下方に位置する状態で用いるための請求項１乃至８の何れか１項に記載の植物育成材。
【請求項１０】
根生育層の方向が垂直状又は傾斜状をなす状態で用いるための請求項１乃至９の何れか１項に記載の植物育成材。
【請求項１１】
請求項１乃至８の何れか１項に記載の植物育成材を、上記分岐保水部の端部がその基部よりも下方に位置する状態で用いて植物を育成する植物育成方法。
【請求項１２】
請求項１乃至８の何れか１項に記載の植物育成材を、根生育層の方向が垂直状又は傾斜状をなす状態で用いて植物を育成する植物育成方法。
【発明の詳細な説明】
【技術分野】
【０００１】
本発明は、垂直状又は傾斜状での使用に適する植物育成材及び植物育成方法に関する。
【背景技術】
【０００２】
建築物の屋上等を緑化するために、繊維が集合してなるマット体のような保水性植物生育マットが従来より用いられている。この種の保水性植物生育マットによる緑化は、建築物の屋上等に保水性植物生育マットを敷設し、給水、施肥等を行いつつ、その保水性植物生育マットにおいて植物を栽培することにより行われる。保水性植物生育マットを対象面に敷設して行うこのような緑化方法は、水平面や傾斜が小さい面に沿って平面的に植物栽培を行って緑化するのに適する。
【０００３】
例えば特開平１０−９８９１３号公報（特許文献１）には、ビルの屋上など、土の上でなくても、その上に敷き詰めてから水をやるだけで、種から芽が出るようになるために、場所を選ばずに非常に簡単に植物を育成できる園芸用マットとして、植物性の繊維の不織布等からなり、発芽可能に種子を内装した保水性の育苗マットと、育苗マットを受けてそれに毛細管現象により水を供給する保水マットとからなる園芸用マットが開示されている。
【０００４】
しかしながら、このような緑化方法は、立体的な構造体や傾斜角度が比較的大きな対象面の緑化には必ずしも適するものではない。立体的な構造体やその他のものにおける傾斜角度が比較的大きな対象面に沿って保水性植物生育マットを配設した場合や、保水性植物生育マットの高さを高くしたり保水性植物生育マットを高さ方向に積層した場合、給水された水系液体が、傾斜角度が比較的大きな保水性植物生育マット又は高さの高い保水性植物生育マットにおける下方部、或いは、高さ方向に積層した保水性植物生育マットにおける下方の保水性植物生育マットに集まりがちとなり、上方部に保持される水分量が不十分になるおそれがある。
【特許文献１】特開平１０−９８９１３号公報
【発明の開示】
【発明が解決しようとする課題】
【０００５】
本発明は、従来技術に存した上記のような課題に鑑み行われたものであって、その目的とするところは、垂直状又は傾斜状に配置した場合にも優れた保水性を発揮し得る植物育成材及びその植物育成材を用いた植物育成方法を提供することにある。
【課題を解決するための手段】
【０００６】
(1)  上記目的を達成する本発明の植物育成材は、
植物が根を張るための含水可能な根生育層を有する植物育成材であって、
前記根生育層に根を張る植物における根以外の主要器官と根生育層の間に、根生育層の側に基部が位置し、前記の根以外の主要器官の側に端部が位置し、根生育層に配された水分を吸収して保水し得る分岐保水部を備えることを特徴とする。
【０００７】
この植物育成材は、根生育層に根を張る植物における根以外の主要器官と根生育層の間に、根生育層の側に基部が位置し、前記の根以外の主要器官の側に端部が位置し、根生育層に配された水分を吸収して保水し得る分岐保水部を備えている。
【０００８】
分岐保水部は、吸収した水分を個別的に保水し得るため、根生育層と分岐保水部を併せた保水性能は、根生育層のみの場合や分岐保水部が位置する部分を含めた全体を根生育層とした場合に比し高くなる。
【０００９】
特に、例えば、根生育層の方向（根生育層の層厚方向に直交する方向）が垂直状又は傾斜状（湾曲状を含む）をなす状態で植物育成材が設置され、根生育層に配された水分が経時的に下方へ偏るか又は根生育層に配された水分の相当部分が流下離脱し、根生育層の上方部に又は下部以外の部分に十分な水分が保持されないことになる場合においても、分岐保水部は、吸収した水分を個別的に保持し得るため、根生育層の方向にあまり影響されずに保水し得、全体として所要保水量を維持する効果が高い。
【００１０】
なお、この植物育成材は、育成植物を備えるものとすることもできる。
【００１１】
本発明の植物育成材は、根生育層のうち植物を育成する部分に対応して分岐保水部が位置するものであることが望ましい。
【００１２】
この場合、根生育層のうち植物を育成する部分に対応して分岐保水部が位置するので、根生育層と分岐保水部を併せて、植物の育成に要する水分保持が適切に行われ得る。
【００１３】
また本発明の植物育成材は、根生育層が、不規則に集合した繊維からなるマット状をなすものであることが望ましい。
【００１４】
また本発明の植物育成材は、根生育層の方向が垂直状又は傾斜状をなす状態で全体を支持し得るように剛性支持体により支持されたものであることが望ましい。
【００１５】
この場合、根生育層の方向が垂直状又は傾斜状をなす状態で全体を支持し得るように剛性支持体により支持されたものとすることにより、植物栽培体を必要に応じた様々な姿勢で配置することができる。
【００１６】
(2)  また、本発明の植物育成材は、上記分岐保水部が、上記植物の根が貫通し得る基布に多数設けられた繊維製のパイルであり、
それらのパイルは前記植物における根以外の主要器官が位置する側に位置し、前記基布は根生育層の側に位置し、
前記パイルは、根生育層に配された水分を吸収して保水し得るものであることが望ましい。
【００１７】
この場合、分岐保水部である多数のパイルは、それぞれ、根生育層に配された水分を直接吸収して保水するか、又は、基布若しくはその他の物を介して吸収し保水する。
【００１８】
パイルの基部は、基布の裏側で根生育層に接し、根生育層に配された水分を吸収して保水し得るものでもよく、基布若しくはその他の物を介して根生育層に配された水分を吸収して保水し得るものであってもよい。
【００１９】
なお、パイルの長さは、例えば５乃至１００ｍｍとすることができる。好ましくは１０乃至５０ｍｍ、又は１５乃至３０ｍｍである。またパイルの縫い目が基布の根生育層側に位置するものであってもよい。
【００２０】
(3)  また本発明の植物育成材は、上記分岐保水部が、根生育層に基部が直接結合した多数の吸水性の房状物であり、それらの房状物が根生育層に配された水分を吸収して保水し得るものとすることができる。
【００２１】
根生育層に基部が直接結合した多数の吸水性の房状物としては、根生育層と房状物は、両者を連結するか又は両者を一体に形成することもできる。房状物は、繊維製のほか、合成樹脂スポンジ、ゴムスポンジ等を採用することも可能である。房状部の長さは、例えば５乃至１００ｍｍとすることができる。好ましくは１０乃至５０ｍｍ、又は１５乃至３０ｍｍである。
【００２２】
(4)  また本発明の植物育成材は、上記分岐保水部が多数のパイルであり、そのパイルを形成するパイル形成体は、略円柱形状をなし、繊維製の線条体がパイル形成体の軸線を中心としてほぼ径方向に放射状をなすように密設され且つ軸線方向に密設されてなり、その略円柱形状外周面は、前記各線条体の先端部により形成されているものとすることができる。線条体としては、例えば各種合成繊維フィラメント等のフィラメント、合成繊維若しくは天然繊維ステープル糸等を挙げることができ、例えば０．０５乃至１８デニール（好ましくは０．０５乃至１０デニール、より好ましくは０．０５乃至３デニール、特に好ましくは０．０５乃至０．８デニール）のものを用いることができる。分岐保水部の保水性が良好なものとする上で、線条体として好ましいのは、非吸水性又は吸水性の合成繊維フィラメント（好ましくは０．０５乃至３デニールのフィラメント、特に好ましくは０．０５乃至０．８デニールのフィラメント）である。
【００２３】
(5)  また本発明の植物育成材は、上記分岐保水部が、根生育層に基部が直接結合した吸水性の複数のシート状物および／または帯状物であり、それらが根生育層に配された水分を吸収して保水し得るものとすることができる。
【００２４】
吸水性の複数のシート状物および／または帯状物としては、例えば繊維製のもの（布状物、編物状物又は紙状物等）のほか、合成樹脂スポンジ、ゴムスポンジ等を採用することも可能である。この場合の植物育成材は、基部が水平状をなすように植物育成材が配置されて使用されることが、シート状物における水分保持部分が偏らないようにする上で好ましい。シート状物及び帯状物の長さは、それぞれ、例えば５乃至１００ｍｍとすることができる。好ましくは１０乃至５０ｍｍ、又は１５乃至３０ｍｍである。
【００２５】
(6)  本発明の植物育成材は、上記分岐保水部の端部がその基部よりも下方に位置する状態で用いるためのものであることが望ましい。
【００２６】
また本発明の植物育成方法は、前記植物育成材を、上記分岐保水部の端部がその基部よりも下方に位置する状態で用いて植物を育成するものである。
【００２７】
この場合、根生育層に配された水分を吸収した分岐保水部は、根生育層側に位置する基部よりも端部の方が下方に位置するので、吸収した水分を個別的に保持し易い。そのため、根生育層と分岐保水部を併せた保水性能を高めることができる。
【００２８】
(7)  また本発明の植物育成材は、根生育層の方向が垂直状又は傾斜状をなす状態で用いるためのものであることが望ましい。
【００２９】
更に本発明の植物育成方法は、前記植物育成材を、根生育層の方向が垂直状又は傾斜状をなす状態で用いて植物を育成するものである。
【００３０】
根生育層の方向（根生育層の層厚方向に直交する方向）が垂直状又は傾斜状（湾曲状を含む）をなす状態で植物育成材が設置された場合、根生育層に配された水分が、その根生育層の性質に応じ、経時的に下方へ偏るか又は根生育層に配された水分の相当部分が流下離脱し、根生育層の上方部に又は下部以外の部分に十分な水分が保持されないことになることがある。
【００３１】
その場合においても、分岐保水部は、吸収した水分を個別的に保持し得るため、根生育層の方向にあまり影響されずに保水し得、全体として所要保水量を維持する効果が高い。
【００３２】
水平面に対する傾斜角度としては、１０度以上、２０度以上、３０度以上、４０度以上、５０度以上、６０度以上、又は７０度以上とすることができる。
【発明の効果】
【００３３】
本発明の植物育成材は、根生育層と分岐保水部を併せた保水性能が、根生育層のみの場合や分岐保水部が位置する部分を含めた全体を根生育層とした場合に比し高くなる。特に、例えば、根生育層の方向が垂直状又は傾斜状をなす状態であっても、分岐保水部は、吸収した水分を個別的に保持し得るため、根生育層の方向にあまり影響されずに保水し得、全体として所要保水量を維持する効果が高いので、立体的な植物栽培に好適である。
【００３４】
また本発明の植物育成方法によれば、本発明の植物育成材を用いることにより、根生育層の方向が垂直状又は傾斜状をなす状態であっても、分岐保水部は、吸収した水分を個別的に保持し得るため、根生育層の方向にあまり影響されずに保水し得、全体として所要保水量を維持する効果が高いので、立体的な植物栽培に好適である。
【発明を実施するための最良の形態】
【００３５】
本発明の実施の形態を、図面を参照しつつ説明する。
【００３６】
(1)  図１乃至図５は、何れも本発明の実施の形態の一例を示す植物育成材に関するものであって、図１は垂直配列の植物育成材の模式的側面図、図２は植物育成材の模式的分解斜視図、図３は水平状態のパイル布の模式的拡大側面図、図４はパイルの模式的拡大横断面図、図５はモール糸によりパイルを形成する工程の一部を示す模式図である。
【００３７】
植物育成材Ｄは、植物Ｇが根Ｇｒを張るための含水可能な根生育層Ｔと、植物Ｇの根Ｇｒが貫通し得る基布Ｓの一方の側に繊維製の多数のパイルＰ（分岐保水部）を満遍なく設けてなるパイル布Ｅの基布Ｓと、合成樹脂製（これに限らない）の格子状をなす支持基盤Ｂ（剛性支持体）が積層接合されてなり、全体としてブロック状（これに限らない）をなす。接合は、例えば接着、縫着、その他の機械的接合等の手段を適宜採用し得る。なお、例えば、根生育層ＴとパイルＰ（房状物）を同じ素材からなる一体的なものとすることもできる。
【００３８】
育成植物Ｇにおける根Ｇｒ以外の主要器官（例えば、茎、葉、花の全部又は主要部）は、パイルＰからみて根生育層Ｔと逆側に位置し、根生育層Ｔに根Ｇｒを張る。この例では、根生育層Ｔのうち植物Ｇを育成する側（図１及び図２における根生育層Ｔの右側面）の全てに満遍なくパイルＰ（分岐保水部）が位置する。なお、パイルＰ（分岐保水部）と根生育層Ｔの間に基布Ｓ以外の根Ｇｒが挿通可能な層や物が存在するものとすることも可能である。
【００３９】
支持基盤Ｂは、根生育層Ｔの方向が垂直状又は傾斜状をなす状態で全体を支持し得るものである。支持基盤Ｂの一辺（垂直又は傾斜状に設置する場合の上側に位置させる辺）には、潅水管路部Ｗが形成されている。潅水管路部Ｗは、一端に連結突部Waを有し、その連結突部Waが別の潅水管路部Ｗの一方の端部に嵌合して両潅水管路部Ｗが連結される。各潅水管路部Ｗの下側には多数の小潅水孔（図示せず）を有し、潅水管路部Ｗに供給された水又は液肥等を含有する水系液体が小潅水孔を通じて、その下側に位置させる根生育層Ｔに供給される。なお、支持基盤Ｂは潅水管路部Ｗを必ずしも備えることを要しない。潅水管路部Ｗを備える支持基盤Ｂと備えない支持基盤Ｂを混合使用することもできる。
【００４０】
図１において植物育成材Ｄは、建築物の外壁面等の垂直面に沿って、取付用のフレーム（図示せず）を構築し、そのフレームにより、ブロック状の各植物育成材Ｄを、望ましくは植物Ｇを予め育成した状態で、根生育層Ｔの方向が垂直状をなすように配列設置されている。その際、各植物育成材Ｄの支持基盤Ｂにおける潅水管路部Ｗ同士が連結され、更に、潅水管路部Ｗに潅水源が接続されて必要な潅水が可能とされる。屋外に設置される場合は降雨によっても各植物育成材Ｄに水が供給され得る。各パイルＰは、端部がその基部よりも下方に位置する状態をなす。なお、植物育成材Ｄの配列は、傾斜面若しくは湾曲面に沿って行うこともできる。また、壁面等に直接植物育成材Ｄを取り付けることや、その他の取付手段を採用することも可能である。
【００４１】
根生育層Ｔは、ポリエステル系合成繊維を約８０％含む繊維で編み組みされた織布の廃棄屑を開繊して繊維状に加工したものを主材料とし、これに、低融点のポリエステル繊維（例えば全体の約２０重量％）をバインダー繊維として混合分散させたものを所定の厚さに方向性なく立体的に集合させた繊維の集合体を、バインダー繊維が溶融する温度まで加熱した後プレス（繊維等が集合した状態の厚さに対して約２５％の厚さとなるようプレス）し、バインダー繊維を冷却・硬化させて繊維同士を結合させ繊維の間に無数の空隙を形成した状態で得られた方形マット状（この形態に限らない）をなす。
【００４２】
パイル布ＥにおけるパイルＰは、０．３デニールの非吸水性のポリエステルフィラメントＦを飾り糸とするモール糸Ｍにより形成されている。すなわち、図５に示すように、基布Ｓに対し、モール糸Ｍによるループ部Ｒを形成した後、ループ部Ｒを構成するモール糸Ｍのうち、ループ部Ｒの一方の基部から端部を構成する部分と他方の基部から端部を構成する部分が、両部分の芯糸Ｃを中心として撚り合わさることにより、略円柱形状をなすパイル形成体（パイル形成糸）によるパイルＰを形成したものである。例えば、強撚モール糸Ｍを用い、基布Ｓに対しモール糸Ｍによるループ部Ｒを形成した後、熱処理（染色工程における熱処理が好ましい）を行うことにより各ループ部Ｒがそのモール糸Ｍの芯糸Ｃを中心として撚り合わさるものとすることができる。
【００４３】
このようにして形成された各パイルＰは、略円柱形状をなし、０．３デニールの非吸水性のフィラメントＦが、パイルＰの軸線を中心としてほぼ径方向に放射状をなすように密設され且つ軸線方向に密設されてなり、パイルＰの略円柱形状外周面は、各フィラメントＦの先端部により形成される。パイルＰの先端部Ｐａは、パイルＰを構成する放射状に配されたフィラメントＦの先端部により形成された略凸曲面状をなす。
【００４４】
パイルＰを形成するパイル形成体におけるフィラメントの密度はパイル形成体の表面部から内方部に向かうほど高くなり、毛管現象により、パイル形成体の内方部に向かって強い吸液力が作用するので、パイルＰは迅速に比較的多量の水（他の成分を含有する水又はその他の液体でもよい）を吸収し得る。
【００４５】
植物育成材Ｄは、根生育層Ｔに根Ｇｒを張る植物Ｇにおける根Ｇｒ以外の主要器官と根生育層Ｔの間に、根生育層Ｔの側に基部が位置し、前記の根Ｇｒ以外の主要器官の側に端部が位置し、根生育層Ｔに配された水分を、基部から端部に向かって（例えば毛管現象により）吸収して保水し得るパイルＰ（分岐保水部）を備えている。
【００４６】
パイルＰは、吸収した水分を個別的に保水し得るため、根生育層ＴとパイルＰを併せた保水性能は、根生育層Ｔのみの場合やパイル布Ｅが位置する部分を含めた全体を根生育層とした場合に比し高くなる。
【００４７】
特に、根生育層Ｔの方向（根生育層Ｔの層厚方向に直交する方向）が垂直状又は傾斜状（湾曲状を含む）をなす状態で植物育成材Ｄが設置され、根生育層Ｔに配された水分が経時的に下方へ偏るか又は根生育層Ｔに配された水分の相当部分が流下離脱し、根生育層Ｔの上方部に又は下部以外の部分に十分な水分が保持されないことになる場合においても、パイルＰは、吸収した水分を個別的に保持し得るため、根生育層Ｔの方向にあまり影響されずに保水し得、全体として所要保水量を維持する効果が高いので、立体的な植物栽培に好適である。
【００４８】
なお、根生育層としては、例えば、不規則に集合した繊維（繊維の種類は特に問わない。椰子殻繊維、ジュート、ケナフ、木綿等の各種天然繊維、ポリエステル系、ポリアミド系、ポリアクリル系等の各種合成繊維、或いはその他の繊維を用い得る。）からなるもの、特に、不規則に集合した繊維を、圧縮成形したもの、圧縮成形すると共にニードルパンチやバインダー繊維の含有及び溶融により繊維成形物の保形性を高めたもの、不織布、不織布を重積したもの、その他の各種植物生育材料を用いることができる。保水性植物生育層の厚さは、例えば１乃至２０ｃｍとすることができる。好ましくは２乃至１５ｃｍ、より好ましくは３乃至１０ｃｍであるが、これに限られるものではない。
【００４９】
また、根生育層は、これに限らず、植物が根を張ることができ、含水可能なものであれば、その他の繊維製のもの、合成樹脂又はゴムスポンジ等のスポンジ状のもの等を採用することも可能である。
【００５０】
植物育成材の対象植物の例としては、芝類、セダム類、こけ類、つた類等を挙げることができるがこれに限らない。二酸化炭素削減の観点からは、セダム類やこけ類よりも芝類が好ましい。
【００５１】
パイルを形成するパイル形成体は、略円柱形状をなし、０．０５乃至０．８デニールのフィラメント（例えば非吸水性のフィラメント）が、パイル形成体の軸線を中心としてほぼ径方向に放射状をなすように密設され且つ軸線方向に密設されてなり、その略円柱形状外周面は、前記各フィラメントの先端部により形成されてなるものとすることができる。
【００５２】
このようなパイル形成体は、０．０５乃至０．８デニールの非吸水性のフィラメントを飾り糸とする２本又は３本以上のモール糸が、そのモール糸の芯糸を中心として撚り合わさることにより略円柱形状を形成したものとすることができる。
【００５３】
非吸水性のフィラメントとしては、ポリエステル系、ポリアミド系、ポリプロピレン系又はポリエチレン系のフィラメントを挙げることができる。非吸水性のフィラメントの吸水率は、２０℃相対湿度６５％において５％以下であるものとすることができる。
【００５４】
分岐保水部は、例えば前記のような繊維製のパイルや繊維製のシート状体又は帯状体のように、表面部から植物の根が水分を吸収し得るものであることが望ましい。
【００５５】
なお、分岐保水部は、根生育層に根を張る植物おける根以外の主要器官と根生育層の間に限らず、根生育層における育成植物の根以外の主要器官が位置する側とは逆の側に配設することもできる。
【００５６】
また、分岐保水部は根生育層の前後・上下・左右等の全外周面の何れの箇所に設けることも可能であり、根生育層の全外周側において、育成植物における根以外の主要器官が、分岐保水部からみて根生育層と逆側に位置し、根生育層に根を張るものとすることが可能である。
【００５７】
更に、分岐保水部は、根生育層のうち植物を育成する部分に対応して位置することが望ましいが、根生育層のうち植物を育成する部分の全てに対応して位置するものの他、例えば、植物育成材を設置した状態において根生育層のうち水分が比較的保持され易い部分（例えば下方部）以外の部分にのみ対応して位置するようにすることもでき、必ずしも全てに対応することを要するものではない。
【００５８】
(2)  図６は、別の植物育成材の模式的側面図である。
【００５９】
図６に示す植物育成材Ｄは、図１乃至図５に示す前記植物育成材Ｄと同じ植物育成材Ｄを、根生育層Ｔの方向が傾斜状となるように配したものである。傾斜角度は約３０度である。
【００６０】
根生育層Ｔの方向が水平方向から３０度の傾斜状をなす状態で植物育成材Ｄが設置されているので、潅水パイルＰを介して根生育層Ｔに配された水分が経時的に下方へ偏るか又は根生育層Ｔに配された水分の相当部分が流下離脱し、根生育層Ｔの上方部に又は下部以外の部分に十分な水分が保持されないことになる。
【００６１】
その場合においても、多数のパイルＰが、吸収した水分を個別的に保持し得るため、根生育層Ｔの方向にあまり影響されずに保水し得、全体として所要保水量を維持する効果が高いので、立体的な植物栽培に好適である。
【００６２】
なお、以上の実施の形態についての記述における構成部品の寸法、個数、材質、形状、その相対配置などは、特にそれらに限定される旨の記載がない限りは、この発明の範囲をそれらのみに限定する趣旨のものではなく、単なる説明例に過ぎない。
【図面の簡単な説明】
【００６３】
【図１】垂直配列の植物育成材の模式的側面図である。
【図２】植物育成材の模式的分解斜視図である。
【図３】水平状態のパイル布の模式的拡大側面図である。
【図４】パイルの模式的拡大横断面図である。
【図５】モール糸によりパイルを形成する工程の一部を示す模式図である。
【図６】別の植物育成材の模式的側面図である。
【符号の説明】
【００６４】
Ｂ      支持基盤
Ｃ      芯糸
Ｄ      植物育成材
Ｅ      パイル布
Ｆ      フィラメント
Ｇ      植物
Ｇｒ    根
Ｍ      モール糸
Ｐ      パイル
Ｐａ    パイル先端部
Ｒ      ループ部
Ｓ      基布
Ｔ      根生育層
Ｗ      潅水管路部
Wａ    連結突部
【図１】
2010046035.tif 000003
【図２】
2010046035.tif 000004
【図３】
2010046035.tif 000005
【図４】
2010046035.tif 000006
【図５】
2010046035.tif 000007
【図６】
2010046035.tif 000008